(57)【要約】      （修正有）【課題】比較的安価な装置構成で、帳票の厚さに依存せず、かつ、丁合異常検出のためのマークが最終的に帳票に残ることなく、丁合異常検出ができる丁合異常検出システム等を提供する。【解決手段】互いに重ね合わされて一組の帳票となる複数の単位帳票の夫々を識別するための識別マークと、各前記単位帳票を重ね合わせた際の位置ずれを検出するための位置ずれ検出マークと、を各単位帳票に印字する印刷手段と、互いに重ね合わされた後に裁断される単位帳票の裁断領域に切り欠き部を形成する形成手段と、を有し、複数の単位帳票を所定の順序で重ね合わせ、識別マークと位置ずれ検出マークを撮像し、撮像画像にて全ての単位帳票の識別マークを確認できない場合、又は、複数の単位帳票を位置ずれ無く重ね合わせた際の位置ずれ検出マークの画像と、撮像画像が示す位置ずれ検出マークを照合して位置ずれが検出された場合に、丁合異常として検出する。【選択図】図４
2011098476.tif 000002
【特許請求の範囲】
【請求項１】
互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷手段と、
互いに重ね合わされた後に裁断される前記単位帳票の裁断領域に切り欠き部を形成する形成手段と、を有し、
前記印刷手段は、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、
前記形成手段は、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、
前記複数の単位帳票を所定の順序で重ね合わせ、前記単位帳票の前記識別マークと前記位置ずれ検出マークを撮像する撮像手段と、
前記撮像手段による撮像画像にて全ての前記単位帳票の識別マークを確認する確認手段と、
前記複数の単位帳票を位置ずれ無く重ね合わせた際の前記位置ずれ検出マークの画像と、前記撮像手段による撮像画像が示す前記位置ずれ検出マークと、を照合して位置ずれの有無を検出する位置ずれ検出手段と、
前記確認手段によって少なくとも一の前記単位帳票の前記識別マークが確認できない場合、又は、前記位置ずれ検出手段によって位置ずれが検出された場合に、丁合異常として検出する丁合異常検出手段と、
を有することを特徴とする丁合異常検出システム。
【請求項２】
前記形成手段は、外周面に長手方向に延びるＬ形状のカッター刃を具備するロータリーダイカッターを備え、前記ロータリーダイカッターのカッター刃が前記単位帳票に当接するタイミングを異ならせることにより、各前記単位帳票の夫々に異なる大きさの切り欠き部を形成することを特徴とする請求項１に記載の丁合異常検出システム。
【請求項３】
各前記単位帳票を重ね合わせた際に最も下に位置する前記単位帳票には、前記切り欠き部が形成されないことを特徴とする請求項１又は２に記載の丁合異常検出システム。
【請求項４】
互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷工程と、
互いに重ね合わされた後に裁断される前記単位帳票の裁断領域に切り欠き部を形成する形成工程と、を有し、
前記印刷工程では、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、
前記形成工程では、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、
前記複数の単位帳票を所定の順序で重ね合わせ、前記単位帳票の前記識別マークと前記位置ずれ検出マークをカメラにより撮像する撮像工程と、
検査装置が、
前記カメラから撮像画像情報を取得し、当該撮像画像情報が示す撮像画像にて全ての前記単位帳票の識別マークを確認する確認工程と、
前記複数の単位帳票を位置ずれ無く重ね合わせた際の前記位置ずれ検出マークの画像と、前記撮像画像が示す前記位置ずれ検出マークと、を照合して位置ずれの有無を検出する位置ずれ検出工程と、
前記確認工程にて少なくとも一の前記単位帳票の前記識別マークが確認できない場合、又は、前記位置ずれ検出工程にて位置ずれが検出された場合に、丁合異常として検出する丁合異常検出工程と、
を有することを特徴とする丁合異常検出方法。
【請求項５】
前記形成工程では、外周面に長手方向に延びるＬ形状のカッター刃を具備するロータリーダイカッターにより前記切り欠き部を形成し、前記ロータリーダイカッターのカッター刃が前記単位帳票に当接するタイミングを異ならせることにより、各前記単位帳票の夫々に異なる大きさの切り欠き部を形成することを特徴とする請求項４に記載の丁合異常検出方法。
【請求項６】
各前記単位帳票を重ね合わせた際に最も下に位置する前記単位帳票には、前記切り欠き部が形成されないことを特徴とする請求項４又は５に記載の丁合異常検出方法。
【請求項７】
互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷工程と、
互いに重ね合わされた後に裁断される前記単位帳票の裁断領域に切り欠き部を形成する形成工程と、を有し、
前記印刷工程では、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、
前記形成工程では、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、
前記複数の単位帳票を所定の順序で重ね合わせ、前記単位帳票の前記識別マークと前記位置ずれ検出マークをカメラにより撮像する撮像工程と、
検査装置が、
前記カメラから撮像画像情報を取得し、当該撮像画像情報が示す撮像画像にて全ての前記単位帳票の識別マークを確認する確認工程と、
前記複数の単位帳票を位置ずれ無く重ね合わせた際の前記位置ずれ検出マークの画像と、前記撮像画像が示す前記位置ずれ検出マークと、を照合して位置ずれの有無を検出する位置ずれ検出工程と、
前記確認工程にて少なくとも一の前記単位帳票の前記識別マークが確認できない場合、又は、前記位置ずれ検出工程にて位置ずれが検出された場合に、丁合異常として検出する丁合異常検出工程と、
前記丁合異常検出工程にて、丁合異常が検出されなかった場合に、前記複数の単位帳票を所定の順序で重ね合わせた状態で前記裁断領域を裁断して一組の帳票を作製する帳票作製工程と、
を有することを特徴とする帳票作製方法。
【請求項８】
互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷工程と、
互いに重ね合わされた後に裁断される前記単位帳票の裁断領域に切り欠き部を形成する形成工程と、を有し、
前記印刷工程では、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、
前記形成工程では、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、
前記複数の単位帳票を所定の順序で重ね合わせ、前記単位帳票の前記識別マークと前記位置ずれ検出マークをカメラにより撮像する撮像工程と、
検査装置が、
前記カメラから撮像画像情報を取得し、当該撮像画像情報が示す撮像画像にて全ての前記単位帳票の識別マークを確認する確認工程と、
前記複数の単位帳票を位置ずれ無く重ね合わせた際の前記位置ずれ検出マークの画像と、前記撮像画像が示す前記位置ずれ検出マークと、を照合して位置ずれの有無を検出する位置ずれ検出工程と、
前記確認工程にて少なくとも一の前記単位帳票の前記識別マークが確認できない場合、又は、前記位置ずれ検出工程にて位置ずれが検出された場合に、丁合異常として検出する丁合異常検出工程と、
前記丁合異常検出工程にて、丁合異常が検出されなかった場合に、前記複数の単位帳票を所定の順序で重ね合わせた状態で前記裁断領域を裁断して一組の帳票を作製する帳票作製工程と、
を有することを特徴とする帳票作製方法により作製される帳票。
【発明の詳細な説明】
【技術分野】
【０００１】
本発明は、複数の単位帳票を重ね合わせて一組の帳票を作製する際、複数の単位帳票の丁合異常を検出する丁合異常検出システム、丁合異常検出方法等に関する。
【背景技術】
【０００２】
従来、複数の単位帳票を丁合して冊子を製本する冊子製本装置が知られている。例えば、このような冊子製本装置において、帳票の順序や位置ずれなどの丁合異常を検出し、不良品の発生を防止することが不可欠となっている。例えば、特許文献１には、単位帳票に金属粉入りインキにて照合記号を印字し、Ｘ線や磁気センサにて照合記号を検知して丁合の整合性を保証する方法が開示されている。また、特許文献２には、冊子にした際に互いに整合するデータを有するマークを単位帳票に印字し、マークの並びを検査することにより丁合異常を検出する方法が開示されている。更に、特許文献３には、単位帳票に印字したマークが重ねた時に隠れる位置に開口部を設け、互いの用紙位置を冊子上部より検査する手法が開示されている。
【先行技術文献】
【特許文献】
【０００３】
【特許文献１】特開平４−２７７１６４号公報
【特許文献２】特開平１０−１６６７５３号公報
【特許文献３】特開平１１−５３７７号公報
【発明の概要】
【発明が解決しようとする課題】
【０００４】
特許文献１に記載された方法では、インク費、検査機器の費用が高価であるという問題がある。また、特許文献２に記載された方法では、冊子断面からマークを検査する構成であるため、帳票或いは冊子にある程度の厚さがないと検査困難又は検査不可能であることが予想される。さらに、特許文献３に記載の方法では、帳票へ複数の開口部を設けるためのパンチや、その抜取りカスの除去装置が必要となるのみならず、開口部やマークが帳票に残ってしまうといった問題が生じる。
【０００５】
本発明は、このような問題に鑑みてなされたものであり、比較的安価な装置構成で、帳票の厚さに依存せず、かつ、丁合異常検出のためのマークが最終的に帳票に残ることなく、丁合異常検出ができる丁合異常検出システム等を提供することを目的とする。
【課題を解決するための手段】
【０００６】
上記課題を解決するために、請求項１に記載の発明は、互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷手段と、互いに重ね合わされた後に裁断される前記単位帳票の裁断領域に切り欠き部を形成する形成手段と、を有し、前記印刷手段は、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、前記形成手段は、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、前記複数の単位帳票を所定の順序で重ね合わせ、前記単位帳票の前記識別マークと前記位置ずれ検出マークを撮像する撮像手段と、前記撮像手段による撮像画像にて全ての前記単位帳票の識別マークを確認する確認手段と、前記複数の単位帳票を位置ずれ無く重ね合わせた際の前記位置ずれ検出マークの画像と、前記撮像手段による撮像画像が示す前記位置ずれ検出マークと、を照合して位置ずれの有無を検出する位置ずれ検出手段と、前記確認手段によって少なくとも一の前記単位帳票の前記識別マークが確認できない場合、又は、前記位置ずれ検出手段によって位置ずれが検出された場合に、丁合異常として検出する丁合異常検出手段と、を有することを特徴とする丁合異常検出システムである。
【０００７】
上記課題を解決するために、請求項２に記載の発明は、前記形成手段は、外周面に長手方向に延びるＬ形状のカッター刃を具備するロータリーダイカッターを備え、前記ロータリーダイカッターのカッター刃が前記単位帳票に当接するタイミングを異ならせることにより、各前記単位帳票の夫々に異なる大きさの切り欠き部を形成することを特徴とする請求項１に記載の丁合異常検出システムである。
【０００８】
上記課題を解決するために、請求項３に記載の発明は、各前記単位帳票を重ね合わせた際に最も下に位置する前記単位帳票には、前記切り欠き部が形成されないことを特徴とする請求項１又は２に記載の丁合異常検出システムである。
【０００９】
上記課題を解決するために、請求項４に記載の発明は、互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷工程と、互いに重ね合わされた後に裁断される前記単位帳票の裁断領域に切り欠き部を形成する形成工程と、を有し、前記印刷工程では、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、前記形成工程では、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、前記複数の単位帳票を所定の順序で重ね合わせ、前記単位帳票の前記識別マークと前記位置ずれ検出マークをカメラにより撮像する撮像工程と、検査装置が、前記カメラから撮像画像情報を取得し、当該撮像画像情報が示す撮像画像にて全ての前記単位帳票の識別マークを確認する確認工程と、前記複数の単位帳票を位置ずれ無く重ね合わせた際の前記位置ずれ検出マークの画像と、前記撮像画像が示す前記位置ずれ検出マークと、を照合して位置ずれの有無を検出する位置ずれ検出工程と、前記確認工程にて少なくとも一の前記単位帳票の前記識別マークが確認できない場合、又は、前記位置ずれ検出工程にて位置ずれが検出された場合に、丁合異常として検出する丁合異常検出工程と、を有することを特徴とする丁合異常検出方法である。
【００１０】
上記課題を解決するために、請求項５に記載の発明は、前記形成工程では、外周面に長手方向に延びるＬ形状のカッター刃を具備するロータリーダイカッターにより前記切り欠き部を形成し、前記ロータリーダイカッターのカッター刃が前記単位帳票に当接するタイミングを異ならせることにより、各前記単位帳票の夫々に異なる大きさの切り欠き部を形成することを特徴とする請求項４に記載の丁合異常検出方法である。
【００１１】
上記課題を解決するために、請求項６に記載の発明は、各前記単位帳票を重ね合わせた際に最も下に位置する前記単位帳票には、前記切り欠き部が形成されないことを特徴とする請求項４又は５に記載の丁合異常検出方法である。
【００１２】
上記課題を解決するために、請求項７に記載の発明は、互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷工程と、互いに重ね合わされた後に裁断される前記単位帳票の裁断領域に切り欠き部を形成する形成工程と、を有し、前記印刷工程では、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、前記形成工程では、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、前記複数の単位帳票を所定の順序で重ね合わせ、前記単位帳票の前記識別マークと前記位置ずれ検出マークをカメラにより撮像する撮像工程と、検査装置が、前記カメラから撮像画像情報を取得し、当該撮像画像情報が示す撮像画像にて全ての前記単位帳票の識別マークを確認する確認工程と、前記複数の単位帳票を位置ずれ無く重ね合わせた際の前記位置ずれ検出マークの画像と、前記撮像画像が示す前記位置ずれ検出マークと、を照合して位置ずれの有無を検出する位置ずれ検出工程と、前記確認工程にて少なくとも一の前記単位帳票の前記識別マークが確認できない場合、又は、前記位置ずれ検出工程にて位置ずれが検出された場合に、丁合異常として検出する丁合異常検出工程と、前記丁合異常検出工程にて、丁合異常が検出されなかった場合に、前記複数の単位帳票を所定の順序で重ね合わせた状態で前記裁断領域を裁断して一組の帳票を作製する帳票作製工程と、を有することを特徴とする帳票作製方法である。
【００１３】
上記課題を解決するために、請求項８に記載の発明は、互いに重ね合わされて一組の帳票となる複数の単位帳票の夫々を識別するための識別マークと、各前記単位帳票を重ね合わせた際の位置ずれを検出するための位置ずれ検出マークと、を各前記単位帳票に印字する印刷工程と、互いに重ね合わされた後に裁断される前記単位帳票の裁断領域に切り欠き部を形成する形成工程と、を有し、前記印刷工程では、前記複数の単位帳票を所定の順序で重ね合わせた際に、前記単位帳票の前記切り欠き部から、当該単位帳票より下に位置する全ての前記単位帳票の前記識別マークが視認できる箇所に前記識別マークを印字し、前記形成工程では、前記各単位帳票を所定の順序で重ね合わせた際、最上に位置すべき前記単位帳票に最も大きな切り欠き部を形成し、前記所定の順序に従い切り欠き部が徐々に小さくなるよう前記単位帳票毎に異なる大きさの前記切り欠き部を形成し、前記複数の単位帳票を所定の順序で重ね合わせ、前記単位帳票の前記識別マークと前記位置ずれ検出マークをカメラにより撮像する撮像工程と、検査装置が、前記カメラから撮像画像情報を取得し、当該撮像画像情報が示す撮像画像にて全ての前記単位帳票の識別マークを確認する確認工程と、前記複数の単位帳票を位置ずれ無く重ね合わせた際の前記位置ずれ検出マークの画像と、前記撮像画像が示す前記位置ずれ検出マークと、を照合して位置ずれの有無を検出する位置ずれ検出工程と、前記確認工程にて少なくとも一の前記単位帳票の前記識別マークが確認できない場合、又は、前記位置ずれ検出工程にて位置ずれが検出された場合に、丁合異常として検出する丁合異常検出工程と、前記丁合異常検出工程にて、丁合異常が検出されなかった場合に、前記複数の単位帳票を所定の順序で重ね合わせた状態で前記裁断領域を裁断して一組の帳票を作製する帳票作製工程と、を有することを特徴とする帳票作製方法により作製される帳票である。
【発明の効果】
【００１４】
本発明によれば、比較的安価かつ簡易な装置構成で、帳票の厚さに依存せず、かつ、丁合異常検出のためのマークが最終的に帳票に残ることなく、丁合異常検出を行うことができる。
【図面の簡単な説明】
【００１５】
【図１】本実施形態における単位帳票の概略平面図である。
【図２】印刷工程及び切り欠き形成工程の概略説明図である。
【図３】ロータリーダイカッター７ａによる切欠加工の概略説明図である。
【図４】第１ページから第４ページの各単位帳票１の概略平面図である。
【図５】撮像工程と検査工程の概略説明図である。
【図６】データベース１０に登録された帳票識別マーク４ａと、ラインマーク４ｂの画像の一例である。
【図７】撮像画像の例である。（Ａ）は丁合異常が無い場合の撮像画像の例であり、（Ｂ）及び（Ｃ）は丁合異常がある場合の撮像画像の例である。
【図８】帳票が作製される様子を示す説明図である。
【図９】各単位帳票１のサイズが異なる場合の一例である。
【発明を実施するための形態】
【００１６】
本発明の丁合異常検出システムの実施形態を、添付図面に基づいて説明する。本実施形態における丁合異常検出システムでは、複数の単位帳票が所定の順序で互いに重ね合わせられて一組の帳票を作製する際に、丁合異常を検出する。
【００１７】
図１は、本実施形態における単位帳票の概略平面図である。単位帳票１は、少なくとも一辺に裁断領域２を有する。裁断領域２とは、複数の単位帳票が互いに重ね合わされた後に裁断される領域である。図１に示す例では、単位帳票１の外縁周囲に裁断領域２を有し、複数の単位帳票が互いに重ね合わされた後に点線で図示する裁断用ラインに従って裁断される。なお、裁断用ラインは説明のため仮想的に点線で図示したものであり、実際には単位帳票１に印字してもしなくともよい。単位帳票１の裁断領域２には、切り欠き部３が形成されている。また、単位帳票１の裁断領域２には、帳票識別マーク４ａ及びラインマーク４ｂが印字されている。
【００１８】
帳票識別マーク４ａは、複数の単位帳票の夫々を識別するための識別マークである。帳票識別マーク４ａは、文字及び記号により構成される。また、帳票識別マーク４ａは、複数の単位帳票を所定の順序で重ね合わせた際に、単位帳票１に形成された切り欠き部３から、当該単位帳票１より下に位置する全ての単位帳票１の帳票識別マーク４ａが視認できる箇所に印字される。言い換えれば、各単位帳票１を所定の順序で互いに重ね合わせた際に、当該単位帳票１より下に位置する全ての単位帳票１の帳票識別マーク４ａが視認できるような大きさの切り欠き部３が各単位帳票１に形成される。切り欠き部３の形成については後に詳述する。
【００１９】
ラインマーク４ｂは、複数の単位帳票を重ね合わせた際の位置ずれを検出するための位置ずれ検出マークの一例である。本実施形態では、単位帳票１の裁断領域２に直線のラインマーク４ｂを設けた。各単位帳票１が位置ずれ無く重ね合わせられた場合、後述する図７（Ａ）に示すように、各単位帳票１の各ラインマーク４ｂにより１本の直線が構成される。
【００２０】
図２は印刷工程及び切り欠き形成工程の概略説明図である。図２を参照しながら、単位帳票１が作製される手順を説明する。
【００２１】
印刷部５は、単位帳票１の所定箇所に帳票識別マーク４ａ及びラインマーク４ｂを印字する。例えば、単位帳票１に印字すべき所定の情報と共に帳票識別マーク４ａ及びラインマーク４ｂを印字することができるよう、所定の情報を印刷するためのデジタルプリンタを印刷装置５として用いることが好ましい。
【００２２】
ページカウンタ部６は、印刷部５から搬送されてきた単位帳票１を検知し何枚目の単位帳票であるかをカウントする。ページカウンタ部６は、カウントした情報をカウント情報として図示しないケーブル等を介して切欠加工部７の図示しない制御装置へと送信する。
【００２３】
切欠加工部７は、ロータリーダイカッター７ａを備え、単位帳票１に切り欠き部３を形成する。図３はロータリーダイカッター７ａによる切欠加工の概略説明図である。ロータリーダイカッター７ａは、外周面に長手方向に延びるＬ形状のカッター刃を具備し、回転のタイミングをずらして、カッター刃が単位帳票１に当接するタイミングを単位帳票１毎に異ならせることにより、単位帳票１ごとに夫々異なる大きさの切り欠き部３を形成する。具体的には、各単位帳票１を所定の順序で重ね合わせた際、最上に位置する単位帳票１に最も大きな切り欠き部３を形成し、所定の順序に従い切り欠き部３が徐々に小さくなるよう他の単位帳票１の夫々に切り欠き部３を形成する。つまり、切り欠き部３の小さい単位帳票１から大きい単位帳票１へと上へ重ね合わせられることとなる。
【００２４】
ここで、第１ページから第４ページまでの４枚の単位帳票１を作製する場合を例に説明する。第１ページを最上に位置すべき単位帳票１とし、第１ページ／第２ページ／第３ページ／第４ページを所定の順序とする。先ず、印刷部５は、第１ページから第４ページまで４枚の単位帳票１を順に印刷する。
【００２５】
ページカウンタ部６は、印刷部５から最初に搬送されてきた単位帳票１を第１ページとして認識し、第１ページが搬送されてきた旨のカウント情報を切欠加工部７の図示しない制御装置に送信する。切欠加工部７の制御装置は、ページカウンタ部６からカウント情報を受信すると、搬送されてきた単位帳票１が第１ページであることを認識し、ロータリーダイカッター７ａを作動させ、第１ページの単位帳票１に所定の大きさの切り欠き部３を形成する。
【００２６】
同様に、ページカウンタ部６は、印刷部５から次に搬送されてきた単位帳票１を第２ページとして認識し、第２ページが搬送されてきた旨のカウント情報を切欠加工部７の図示しない制御装置に送信する。切欠加工部７の制御装置は、ページカウンタ部６からカウント情報を受信すると、搬送されてきた単位帳票１が第２ページであることを認識し、ロータリーダイカッター７ａを作動させ、第２ページの単位帳票１に所定の大きさの切り欠き部３を形成する。このとき、切欠加工部７の制御装置は、第１ページの単位帳票１に切り欠き部３を形成したときと回転のタイミングをずらして、第２ページの単位帳票１に、第１ページの単位帳票１に形成した切り欠き部３よりも小さい切り欠き部３を形成する。同様にして、第３ページ、第４ページの単位帳票１を作製する。なお、各単位帳票１を重ね合わせた際に最も下に位置する単位帳票１には、切り欠き部３を形成せずともよい。本実施形態では、第４ページの単位帳票１には切り欠き部３を形成しない。
【００２７】
図４は上述した手順に従い作製された第１ページから第４ページの各単位帳票１の概略平面図である。同図に示すように、切り欠き部３の大きさは、最上に位置すべき第１ページの単位帳票１が最も大きく、次いで、第２ページ、第３ページと順に小さくなる。なお、単位帳票１の重ね合わせは重ね合わせ装置（図示せず）により自動で行ってもよく、作業員が手動で重ね合わせてもよい。
【００２８】
次に、丁合異常を検出する手順を説明する。図５は、撮像工程と検査工程の概略説明図である。カメラ８を用いて、作製された各単位帳票１を所定の順序で重ね合わせて単位帳票１の帳票識別マーク４ａ及びラインマーク４ｂを撮像する。図５においてカメラ８による撮像領域を一点鎖線にて示す。
【００２９】
検査装置９は、ＣＰＵ等により構成されたコンピュータである。検査装置９は、カメラ８及びデータベース１０と接続され、カメラ８からの撮像画像情報に基づいて丁合異常を検出する。データベース１０には、全ての単位帳票１の帳票識別マーク４ａと、各単位帳票１を位置ずれ無く重ね合わせた際のラインマーク４ｂの画像が予め登録されている。
【００３０】
検査装置９は、カメラ８から撮像画像情報を受信すると、受信した撮像画像情報が示す撮像画像に基づいて丁合異常を検出する。具体的に、検査装置９は、撮像画像内に、データベース１０に登録されている全ての単位帳票１の帳票識別マーク４ａを確認できない場合には、ページ抜け又は所定の順序で重ね合わせが行われていないなどの丁合異常として検出する。更に検査装置９は、撮像画像中のラインマーク４ｂと、データベース１０に登録されているラインマーク４ｂの画像とを照合して、位置ずれの有無を検出する。
【００３１】
図６は、データベース１０に登録された帳票識別マーク４ａと、ラインマーク４ｂの画像の一例である。同図に示す例は、第１ページから第４ページまでの４枚の単位帳票１の帳票識別マーク４ａ「|||013」、「|||012」、「|||011」、「|||010」と、位置ずれ無く重ね合わせた際のラインマーク４ｂの画像が登録されている。図７は、撮像画像の例である。図７（Ａ）は丁合異常が無い場合の撮像画像の例であり、（Ｂ）及び（Ｃ）は丁合異常がある場合の撮像画像の例である。
【００３２】
図７（Ａ）の撮像画像では、図６に示すデータベース１０に登録された帳票識別マーク４ａが全て確認できる。更に図７（Ａ）の撮像画像のラインマーク４ｂは、データベース１０に登録されたラインマーク４ｂ画像と同様の１本の直線であり位置ずれは無い。従って検査装置９は丁合異常なしとして判定し、図８に示すように、図示しない裁断加工装置により単位帳票１を重ね合わせた状態で裁断用ラインに沿って裁断領域２を裁断して１組の帳票を作製する。図８は帳票が作製される様子を示す説明図である。なお、この後に製本工程を設け、作製された帳票の所定箇所をステープラーや綴り糸等によって製本し冊子を作製してもよい。
【００３３】
図７（Ｂ）の撮像画像では、図６に示すデータベース１０に登録された帳票識別マーク４ａのうち、「|||011」が確認できない。従って検査装置９は丁合異常として検出する。また、図７（Ｃ）の撮像画像では、図６に示すデータベース１０に登録された帳票識別マーク４ａが全て確認できる。しかし、図７（Ｃ）の撮像画像のラインマーク４ｂは、データベース１０に登録されたラインマーク４ｂ画像のように、１本の直線として確認できない。従って、検査装置９は位置ずれが有るため丁合異常として検出する。
【００３４】
以上説明したように、本実施形態による丁合異常検出システムによれば、単位帳票１の裁断領域２に切り欠き部３を設け、複数の単位帳票１を所定の順序で重ね合わせた際に、単位帳票１の切り欠き部３から、当該単位帳票１より下に位置する全ての単位帳票１の帳票識別マーク４ａが視認できる箇所に、該帳票識別マーク４ａを印字した。また、更に、単位帳票１に、各単位帳票１を重ね合わせた際の位置ずれを検出するためのラインマーク４ｂを印字した。そして、各単位帳票１を重ね合わせた後に帳票識別マーク４ａ及びラインマーク４ｂを撮像し、撮像画像に基づいて丁合異常を検出するよう構成した。これにより、比較的安価かつ簡易な装置構成で、帳票の厚さに依存せず、かつ、丁合異常検出のための帳票識別マーク４ａ及びラインマーク４ｂを裁断領域２に設けたため、これらマークが最終的に製品である帳票に残ることなく、丁合異常検出を行うことができる。
【００３５】
なお、検査装置９は、帳票識別マーク４ａにより、ページ抜け又は所定の順序で重ね合わせが行われていないことを理由（理由１とする。）とする丁合異常を検出し、ラインマーク４ａにより位置ずれを理由（理由２とする。）とする丁合異常を検出しているが、理由１又は理由２の何れ（又は双方）の理由による丁合異常を検出したのかをモニタ等に表示して作業者に提示するよう構成してもよい。
【００３６】
また、上述した実施形態では、複数の単位帳票１を位置ずれ無く重ね合わせられた場合に１本の直線を構成するラインマーク４ｂを位置ずれ検出マークの一例としたが、これに限らず、例えば、複数の単位帳票１を位置ずれ無く重ね合わせられた場合に所定の絵柄を構成するマークを位置ずれ検出マークの一例としてもよい。更に、上述した実施形態では、文字及び記号により帳票識別マーク４ａを構成したが、バーコードを用いても良い。その場合、バーコードリーダを用いて全ての帳票識別マーク４ａを確認できるか否かを判定してもよい。
【００３７】
さらに、上述した実施形態では、各単位帳票１が全て同一形状同一サイズの場合について説明したが、これに限らず、例えば図９に示すようにサイズが異なる場合でも本発明を適用できる。図９は各単位帳票１のサイズが異なる場合の一例である。上述した実施形態では単位帳票１の外縁周囲に裁断領域２を設けたが、図９に示す例は、切り欠き部３、帳票識別マーク４ａ及びラインマーク４ｂが設けられる箇所のみを裁断領域とした。
【符号の説明】
【００３８】
１  単位帳票
２  裁断領域
３  切り欠き部
４ａ  帳票識別マーク
４ｂ  ラインマーク
５  印刷部
６  ページカウンタ部
７  切欠加工部
７ａ  ロータリーダイカッター
８  カメラ
９  検査装置
１０  データベース
【図１】
2011098476.tif 000003
【図２】
2011098476.tif 000004
【図３】
2011098476.tif 000005
【図４】
2011098476.tif 000006
【図５】
2011098476.tif 000007
【図６】
2011098476.tif 000008
【図７】
2011098476.tif 000009
【図８】
2011098476.tif 000010
【図９】
2011098476.tif 000011